(57)【要約】【課題】ミストの環境下においてカメラ前方の透明板の曇りを防止することにある。【解決手段】カメラ２と、カメラ２を収納する筐体３とを備え、筐体３には、カメラ２の撮影方向の前方位置に筐体３の内外を仕切る透明ガラス（透明板）３１を設け、かつ透明ガラス３１の周囲を囲むようにして前方に突出する筒状のフード４を設けてなり、フード４内には、フード４の外より高圧のエアを供給するように構成している。【選択図】図１
2006133269.tif 000002
【特許請求の範囲】
【請求項１】
カメラと、このカメラを収納する筐体とを備えた撮影装置であって、
上記筐体には、上記カメラの撮影方向の前方位置に筐体の内外を仕切る透明板が設けられていると共に、上記透明板の周囲を囲むようにして前方に突出する筒状のフードが設けられており、
上記フード内には、エアが供給されるように構成されていることを特徴とする撮影装置。
【請求項２】
上記フードには、当該フードの前方開口部に沿ってエアカーテンを構成すべくエアを噴出するエアノズルが設けられていることを特徴とする請求項１に記載の撮影装置。
【請求項３】
上記エアノズルは、エアの噴出方向が上記フードの前方開口部に対して内外に傾いた状態となるように、調整可能に構成されていることを特徴とする請求項１又は２に記載の撮影装置。
【請求項４】
上記エアノズルは、上記フードの前方開口部に対して内外方向に移動可能に構成されていることを特徴とする請求項１〜３の何れかに記載の撮影装置。
【発明の詳細な説明】
【技術分野】
【０００１】
本発明は、ミストが生じた環境下において撮影が可能な撮影装置に関するものである。
【背景技術】
【０００２】
この種の撮影装置としては、カメラと、このカメラを気密に収納し、かつ当該カメラの前方に撮影用の透明ガラス（透明板）を有する筐体と、この筐体の外部に設けられ透明ガラスの上部を覆うように配置された庇状のカバーとを備えた防水型のものが知られている。
【０００３】
ところが、上記撮影装置においては、透明ガラスの上部を単に庇状のカバーで覆っているだけなので、雨天時などにミストが発生すると、そのミストが透明ガラスの前面に徐々に付着し、当該透明ガラスが曇った状態になるという問題がある。
また、透明板の前面をワイパー等の装置で清掃することも考えられるが、透明ガラスに付着するミスト（水）の量が極めて少ないことから、当該ワイパーを作動させると、かえって透明ガラスが汚れた状態になるという問題があった。
【発明の開示】
【発明が解決しようとする課題】
【０００４】
本発明は、上記事情に鑑みてなされたものであり、ミストの充満する環境下においてもカメラの前方に設けた透明板の曇り防止することのできる撮影装置を提供することを課題としている。
【課題を解決するための手段】
【０００５】
上記課題を解決するため、請求項１に記載の撮影装置は、カメラと、このカメラを収納する筐体とを備えた撮影装置であって、上記筐体には、上記カメラの撮影方向の前方位置に筐体の内外を仕切る透明板が設けられていると共に、上記透明板の周囲を囲むようにして前方に突出する筒状のフードが設けられており、上記フード内には、エアが供給されるように構成されていることを特徴としている。
【０００６】
請求項２に記載の撮影装置は、請求項１に記載の発明において、上記フードには、当該フードの前方開口部に沿ってエアカーテンを構成すべくエアを噴出するエアノズルが設けられていることを特徴としている。
【０００７】
請求項３に記載の撮影装置は、請求項１又は２に記載の発明において、上記エアノズルは、エアの噴出方向が上記フードの前方開口部に対して内外に傾いた状態となるように、調整可能に構成されていることを特徴としている。
【０００８】
請求項４に記載の撮影装置は、請求項１〜３の何れかに記載の発明において、上記エアノズルは、上記フードの前方開口部に対して内外方向に移動可能に構成されていることを特徴としている。
【発明の効果】
【０００９】
請求項１〜４に記載の発明によれば、フード内に、エアが供給されるようになっているので、フード内の圧力が当該フード外の圧力より常に高くなる。このため、エアがフードの前方開口部から常に流出することになるので、ミストの充満する環境下においても、当該ミストがフード内に浸入するのを防止することができる。従って、透明板の前面にミストが付着し、当該透明板が曇るのを確実に防止することができる。
【００１０】
請求項２に記載の発明によれば、フードの前方開口部に沿ってエアカーテンを構成すべくエアを噴出するエアノズルが設けられているので、例えば雨水の跳ね返りにより大粒の水滴が飛散してきた場合でも、当該水滴がフード内に入るのを上記エアカーテンによって阻止することができる。従って、大粒の水滴に対しても透明板が汚れるのを防止することができる。
【００１１】
請求項３に記載の発明によれば、エアノズルを、エアの噴出方向がフードの前方開口部に対して内外に傾いた方向となるように、調整可能に構成しているので、フード内から外に流れるエアの流速に応じて、エアカーテンの流れをフードの前方開口部に沿う適切な方向に調整することができる。従って、フード内にミストや大粒の水滴などが浸入するのを確実に防止することができる。
【００１２】
請求項４に記載の発明によれば、エアノズルを、フードの前方開口部に対して内外方向に移動可能に構成しているので、フード内から外に流れるエアの流速に応じて、エアカーテンの流れをフードの前方開口部に沿う適切な位置に調整することができる。従って、フード内にミストや大粒の水滴などが浸入するのをより確実に防止することができる。
【発明を実施するための最良の形態】
【００１３】
（第１の実施の形態）
本発明を実施するための最良の形態としての第１の実施の形態について図面を参照しながら説明する。
【００１４】
この第１の実施の形態で示す撮影装置１は、図１〜図３に示すように、カメラ２と、このカメラ２を気密に収納する筐体３とを備えている。筐体３には、カメラ２の撮影方向の前方位置に筐体３の内外を仕切る透明ガラス（透明板）３１が設けられていると共に、透明ガラス３１の周囲を囲むようにして前方に突出する筒状のフード４が設けられている。フード４内には、当該フード４外より高圧のエアが後述するレギュレータ４４から供給されるように構成されている。
【００１５】
筐体３は、六面体状に配置された平板部によって構成されている。透明ガラス３１は、直角四角形状の平板によって形成されたものであり、筐体３における一つの平板部３ａに開けられた開口部の位置に、当該開口部を閉塞するように設けられている。なお、筐体３は、カメラ２の出し入れを可能にすべく、上側の平板部３ｂが開閉可能に構成されていると共に、平板部３ｂを閉じた状態において、内部のカメラ２を防水状態に気密に保持するようになっている。
【００１６】
フード４は、筐体３の一つの平板部３ａから前方に略四角筒状に突出すると共に、透明ガラス３１の周囲を防水状態に保持すべく平板部３ａに固定されている。また、フード４における左右の側壁部４１、４２のうち、一方の側壁部４１には、エア供給口部４１ａが設けられている。
【００１７】
エア供給口部４１ａは、一方の側壁部４１における下端部の透明ガラス３１に近接した位置に配置されており、当該位置からフード４内にエアを供給するようになっている。また、エア供給口部４１ａは、各接続継ぎ手やホースを介して、フィルタ付きレギュレータ４３及びレギュレータ４４に接続されるようになっており、フィルタ付きレギュレータ４３で一次減圧され、レギュレータ４４で二次減圧された後のエアをフード４内に噴出するようになっている。
【００１８】
フィルタ付きレギュレータ４３は、エア源から供給される高圧のエアを任意の圧力に減圧する減圧弁としての機能と、当該エアを清浄化すると共に水等のミストを除去するフィルタとしての機能を備えている。レギュレータ４４は、フィルタ付きレギュレータ４３から供給されるエアを任意の圧力に減圧する減圧弁としての機能を備えている。
【００１９】
また、フード４には、当該フード４の前方開口部に沿ってエアカーテンを構成すべくエアを噴出するエアノズル５が設けられている。
【００２０】
エアノズル５は、スリット状のノズル口５１ａを有する角パイプ５１によって形成されている。角パイプ５１は、断面が正方形状に形成されたものであり、軸方向の両端部が閉塞されていると共に、各閉塞端部の軸心部が左右の各側壁部４１、４２の前方上端部に回動可能（図２の矢印Ａ方向に回動可能）に連結されている。また、角パイプ５１における他方の側壁部４２側に位置する他方の閉塞端部には、その軸心部に、角パイプ５１内にエアを供給する開口部５１ｂが形成されている。開口部５１ｂは、各接続継ぎ手やホースを介してフィルタ付きレギュレータ４３に接続されており、当該フィルタ付きレギュレータ４３で一次減圧され、かつ清浄化されてミスト等が除去された後のエアを角パイプ５１内に供給するようになっている。
【００２１】
ノズル口５１ａは、角パイプ５１における一つの角部に沿って直線状に延在すべく形成されていると共に、角パイプ５１の中心線の位置から放射方向に直線状に延在すべく形成されており、フード４の前方開口部に沿って上から下へカーテン状（面状）のエアを噴出するようになっている。
【００２２】
また、エアノズル５は、角パイプ５１の両端部が各側壁部４１、４２に回動自在に取り付けられることによって、ノズル口５１ａから噴出するエアの方向がフード４の前方開口部に対して内外に傾いた状態となるように、調整可能に構成されている。
【００２３】
上記のように構成された撮影装置１は、防水カメラとして屋外に設置したり、ミストの生じる工場内に設置したりすることができる。
【００２４】
ミストの生じる工場としては、例えば抄紙機が設置された工場が挙げられる。この抄紙機においては、濡れた紙が複数のロールによって一定の張力をかけた状態で搬送されることになる。この場合、張力がある管理範囲から外れると、濡れ紙が切断されるおそれがあるので、この張力をいかに管理範囲内に維持するかが課題となる。この課題を解決する方法として、例えば図４に示すように、ローラ６１、６２間の濡れ紙Ｔのたるみ量を検知し、このたるみ量や、このたるみ量から換算された張力を所定の管理範囲に入れるべく、ローラ６１、６２の回転速度を制御する方法がある。
【００２５】
上記濡れ紙のたるみ量は、図示しない光源によって、ローラ６１、６２間の濡れ紙Ｔの側縁部Ｔ１に光りを当て、当該濡れ紙に生じた光輝部Ｐ１の位置を撮影装置１で撮影することによって検出することが可能である。この場合、濡れ紙Ｔの側縁部Ｔ１に、２つの光輝部Ｐ１、Ｐ２を生じさせ、これらの光輝部Ｐ１、Ｐ２の位置を撮影することによって濡れ紙Ｔの傾きの変化量を検出することも可能である。
【００２６】
撮影装置１は、ローラ６１、６２等の洗浄によって生じたミストが充満した中に設置されることになる。
【００２７】
この場合、フード４内に、当該フード４外より高圧のエアが供給されるようになっているので、フード４内の圧力が当該フード４外の圧力より常に高くなる。このため、エアがフード４の前方開口部から常に流出することになるので、撮影雰囲気の周囲に生じたミストがフード４内に進入するのを防止することができる。従って、透明ガラス３１の表面（前面）がミストの付着によって曇った状態になるのを確実に防止することができる。また、水などのミストや塵埃などを除去した後のエアをフード４内に供給するようになっているので、当該エアによって透明ガラス３１の表面が汚れることもない。
【００２８】
また、フード４の前方開口部に沿ってエアカーテンを構成するエアノズル５が設けられているので、例えば洗浄水の跳ね返りにより大粒の水滴が飛散してきた場合でも、当該水滴がフード４内に入るのを上記エアカーテンによって阻止することができる。従って、透明ガラス３１の表面が大粒の水滴の付着によって汚れることも確実に防止することができる。
【００２９】
更に、エアの噴出方向がフード４の前方開口部に対して内外に傾いた状態となるように、エアノズル５が軸回りに回動可能に設けられているので、フード４内から外に流れるエアの流速に応じて、エアカーテンの流れをフード４の前方開口部に沿う適切な方向となるように調整することができる。従って、フード４内にミストや大粒の水滴などが浸入するの確実に防止することができる。
【００３０】
｛発明を実施するための異なる形態｝
【００３１】
（第２の実施の形態）
次に、本発明を実施するための異なる形態としての第２の実施の形態について図面を参照しながら説明する。但し、第１の実施の形態で示した構成要素と共通する要素には同一の符号を付し、その説明を簡略化する。
【００３２】
この第２の実施の形態が第１の実施の形態と異なる点は、エアノズル５を、フード４の前方開口部に対して内外方向（図６の矢印Ｂ方向）に直線状に移動可能に構成している点である。
【００３３】
即ち、エアノズル５は、左右の側壁部４１、４２の上端部において、フード４の内側の位置と、当該フード４の外側の位置との間を往復移動可能に構成されていると共に、当該往復移動可能な間の任意の位置に固定することが可能になっている。なお、図５は、エアノズル５をフード４の外側に固定した状態を示している。
【００３４】
上記のように構成された撮影装置１においては、エアノズル５を、フード４の前方開口部に対して内外方向（矢印Ｂ方向）に移動可能に構成しているので、フード４内から外に流れるエアの流速に応じて、エアカーテンの流れをフード４の前方開口部に沿う適切な位置に調整することができる。
【００３５】
なお、上記各実施の形態においては、フード４を筐体３に固定的に設けるように構成したが、フード４を筐体３に対して着脱自在に構成し、透明ガラス３１の表面の汚れを容易に拭き取ることができるように構成してもよい。
【００３６】
また、エアノズル５を断面正方形状の角パイプ５１で構成したが、他の多角形状や、円形状や、楕円形状などの断面形状のパイプで構成してもよい。
更に、ノズル口５１ａは、軸方向にスリット状に延在するように構成したが、軸方向に一定の間隔をおいて配置した例えば円形状の複数の孔によって構成してもよい。
【図面の簡単な説明】
【００３７】
【図１】本発明の第１の実施の形態として示した撮影装置の斜視図である。
【図２】同撮影装置の断面図である。
【図３】同撮影装置におけるエアノズルの断面図である。
【図４】同撮影装置を抄紙機の紙のたるみ量の検出に設けた例を示す説明図である。
【図５】本発明の第２の実施の形態として示した撮影装置の断面図である。
【符号の説明】
【００３８】
１  撮影装置
２  カメラ
３  筐体
４  フード
５  エアノズル
３１  透明ガラス（透明板）
【図１】
2006133269.tif 000003
【図２】
2006133269.tif 000004
【図３】
2006133269.tif 000005
【図４】
2006133269.tif 000006
【図５】
2006133269.tif 000007